(57)【要約】【課題】一の画像の転写までに媒体に転写された他の画像及び該媒体の電荷量のみに基づき、一の画像が転写される際の転写電圧値を設定する場合に比べ、転写不良を抑制する。【解決手段】画像形成装置は、保持体に保持された画像を転写電圧の印加により媒体に順次転写する複数の転写部と、該媒体に二番目以後に転写される一の画像の表面電位を該保持体上で測定する測定部と、該一の画像の転写までに該媒体に転写された他の画像及び該媒体の電荷量と、該測定部で測定された表面電位と、該保持体の表面層及び該一の画像の合成静電容量と、に基づき、該一の画像が転写される際の転写電圧値を設定する設定部と、を備える。【選択図】図１
2019020479.tif 000002
【特許請求の範囲】
【請求項１】
保持体に保持された画像を転写電圧の印加により媒体に順次転写する複数の転写部と、
該媒体に二番目以後に転写される一の画像の表面電位を該保持体上で測定する測定部と、
該一の画像の転写までに該媒体に転写された他の画像及び該媒体の電荷量と、該測定部で測定された表面電位と、該保持体の表面層及び該一の画像の合成静電容量と、に基づき、該一の画像が転写される際の転写電圧値を設定する設定部と、
を備える画像形成装置。
【請求項２】
保持体に保持された画像を転写電圧の印加により媒体に順次転写する複数の転写部と、
該媒体に二番目以後に転写される一の画像の表面電位を該保持体上で測定する測定部と、
該一の画像の転写までに該媒体に転写された他の画像の表面電位を該媒体上で測定する他の測定部と、
該測定部及び該他の測定部で測定された表面電位に基づき、該一の画像が転写される際の転写電圧値を設定する設定部と、
を備える画像形成装置。
【請求項３】
前記転写部は、前記媒体の画像領域外に前記他の画像を転写し、
前記他の測定部は、前記媒体の画像領域外に転写された前記他の画像の表面電位を測定する、
請求項２に記載の画像形成装置。
【請求項４】
前記設定部は、転写電圧値をＶｂ、前記他の画像及び前記媒体の電荷量をＱｍ、前記一の画像の電荷量をＱｄ、前記媒体及び前記他の画像の合成静電容量をＣｍ、前記保持体の表面層及び前記一の画像の合成静電容量をＣｄとしたとき、
Ｖｂ≧（Ｑｍ＋Ｑｄ）×（Ｃｍ＋Ｃｄ）／（Ｃｍ×Ｃｄ）
となるように転写電圧値を設定する、
請求項１〜３のいずれか１項に記載の画像形成装置。
【請求項５】
前記転写部は、３つ以上設けられ、
前記測定部は、前記媒体に二番目以後に転写される複数の一の画像のそれぞれにおいて該一の画像の表面電位を前記保持体上で測定し、
前記設定部は、前記測定部の測定対象となった複数の一の画像のそれぞれが転写される際の転写電圧値を設定する、
請求項１〜４のいずれか１項に記載の画像形成装置。
【請求項６】
前記設定部は、
前記一の画像が前記媒体に三番目以後に転写される際の転写電圧値を設定する場合には、該一の画像の転写までに該媒体に転写された複数の他の画像及び該媒体の電荷量と、前記測定部で測定された表面電位と、前記保持体の表面層及び該一の画像の合成静電容量と、に基づき、該転写電圧値を設定する、
請求項５に記載の画像形成装置。
【発明の詳細な説明】
【技術分野】
【０００１】
本発明は、画像形成装置に関する。
【背景技術】
【０００２】
特許文献１には、像担持体に形成されたトナー像を転写材に転写するために転写手段を備えた電子写真方式の画像形成装置において、像担持体と転写手段が対向する転写部へ進入する前の転写材の像転写面の表面電位を測定する表面電位測定手段と、表面電位測定手段の表面電位測定結果に基づき転写手段の転写バイアスを可変させる制御手段と、を備えた画像形成装置が開示されている。
【先行技術文献】
【特許文献】
【０００３】
【特許文献１】特開２００４−６９９３８号公報
【発明の概要】
【発明が解決しようとする課題】
【０００４】
ここで、画像が媒体に順次転写される構成において、一の画像が転写されるまでに媒体に転写された他の画像及び該媒体の電荷量のみに基づき、一の画像が転写される際の転写電圧値を設定する場合では、一の画像の電荷量等が考慮されていないため、転写不良を生じる場合がある。
【０００５】
本発明は、一の画像の転写までに媒体に転写された他の画像及び該媒体の電荷量のみに基づき、一の画像が転写される際の転写電圧値を設定する場合に比べ、転写不良を抑制することを目的とする。
【課題を解決するための手段】
【０００６】
請求項１の発明は、保持体に保持された画像を転写電圧の印加により媒体に順次転写する複数の転写部と、該媒体に二番目以後に転写される一の画像の表面電位を該保持体上で測定する測定部と、該一の画像の転写までに該媒体に転写された他の画像及び該媒体の電荷量と、該測定部で測定された表面電位と、該保持体の表面層及び該一の画像の合成静電容量と、に基づき、該一の画像が転写される際の転写電圧値を設定する設定部と、を備える。
【０００７】
請求項２の発明は、保持体に保持された画像を転写電圧の印加により媒体に順次転写する複数の転写部と、該媒体に二番目以後に転写される一の画像の表面電位を該保持体上で測定する測定部と、該一の画像の転写までに該媒体に転写された他の画像の表面電位を該媒体上で測定する他の測定部と、該測定部及び該他の測定部で測定された表面電位に基づき、該一の画像が転写される際の転写電圧値を設定する設定部と、を備える。
【０００８】
請求項３の発明では、前記転写部は、前記媒体の画像領域外に前記他の画像を転写し、前記他の測定部は、前記媒体の画像領域外に転写された前記他の画像の表面電位を測定する。
【０００９】
請求項４の発明では、前記設定部は、転写電圧値をＶｂ、前記他の画像及び前記媒体の電荷量をＱｍ、前記一の画像の電荷量をＱｄ、前記媒体及び前記他の画像の合成静電容量をＣｍ、前記保持体の表面層及び前記一の画像の合成静電容量をＣｄとしたとき、Ｖｂ≧（Ｑｍ＋Ｑｄ）×（Ｃｍ＋Ｃｄ）／（Ｃｍ×Ｃｄ）となるように転写電圧値を設定する。
【００１０】
請求項５の発明では、前記転写部は、３つ以上設けられ、前記測定部は、前記媒体に二番目以後に転写される複数の一の画像のそれぞれにおいて該一の画像の表面電位を前記保持体上で測定し、前記設定部は、前記測定部の測定対象となった複数の一の画像のそれぞれが転写される際の転写電圧値を設定する。
【００１１】
請求項６の発明では、前記設定部は、前記一の画像が前記媒体に三番目以後に転写される際の転写電圧値を設定する場合には、該一の画像の転写までに該媒体に転写された複数の他の画像及び該媒体の電荷量と、前記測定部で測定された表面電位と、前記保持体の表面層及び該一の画像の合成静電容量と、に基づき、該転写電圧値を設定する。
【発明の効果】
【００１２】
本発明の請求項１の構成によれば、一の画像の転写までに媒体に転写された他の画像及び該媒体の電荷量のみに基づき、一の画像が転写される際の転写電圧値を設定する場合に比べ、転写不良を抑制できる。
【００１３】
本発明の請求項２の構成によれば、予め記憶された記憶情報のみを用いて他の画像及び媒体の電荷量を求める場合に比べ、転写不良を抑制できる。
【００１４】
本発明の請求項３の構成によれば、媒体の画像領域に転写された他の画像の表面電位を測定する場合に比べ、表面電位の測定の対象となる他の画像を該測定に適合したものとすることができる。
【００１５】
本発明の請求項４の構成によれば、一の画像の転写までに媒体に転写された他の画像及び該媒体の電荷量のみに基づき、一の画像が転写される際の転写電圧値を設定する場合に比べ、転写不良を抑制できる。
【００１６】
本発明の請求項５の構成によれば、一の画像が転写される際の転写電圧値を１つのみ設定する場合に比べ、各転写部における転写不良を抑制できる。
【００１７】
本発明の請求項６の構成によれば、一の画像の転写直前に媒体に転写された他の画像のみ及び媒体の電荷量に基づき、転写電圧値を設定する場合に比べ、転写不良を抑制できる。
【図面の簡単な説明】
【００１８】
【図１】本実施形態に係る画像形成装置の構成を示す概略図である。
【図２】各転写ユニットにおけるトナー画像の転写後における記録媒体の表面電位を示すグラフである。
【図３】トナー画像の転写ごとに記録媒体の表面電位が上昇する場合において、各転写ユニットにおける転写電圧の転写電圧値が一定（同じ）である場合における転写画像の画像濃度を示すグラフである。
【図４】転写電圧値を設定する際における各部の電荷量等を模式的に示す模式図である。
【図５】本実施形態に係る各設定部で設定された転写電圧値を示すグラフである。
【図６】トナー画像の転写ごとに記録媒体の表面電位が上昇する場合において、各設定部で設定された転写電圧値の転写電圧を印加した場合における転写画像の画像濃度を示すグラフである。
【発明を実施するための形態】
【００１９】
以下に、本発明に係る実施形態の一例を図面に基づき説明する。
【００２０】
（画像形成装置１０）
まず、本実施形態に係る画像形成装置１０の構成を説明する。図１は、本実施形態に係る画像形成装置１０の構成を示す概略図である。
【００２１】
図１に示されるように、画像形成装置１０は、記録媒体Ｐ（媒体の一例）を矢印Ａ方向に搬送する搬送部１７と、搬送部１７で搬送される記録媒体Ｐにトナー画像（画像の一例）を形成する画像形成部１４と、トナー画像を記録媒体Ｐに定着する定着装置１６と、を備えている。
【００２２】
（搬送部１７）
搬送部１７が搬送する記録媒体Ｐとしては、搬送方向に長さを有する長尺状の記録媒体Ｐが用いられる。また、記録媒体Ｐとしては、用紙に限られず、樹脂材料で形成されたフィルムなどであってもよい。なお、記録媒体Ｐとしては、予め定められた大きさに切断された記録媒体、例えば、枚葉紙（カット紙）であってもよい。
【００２３】
搬送部１７は、記録媒体Ｐを巻き出す巻出ロール７２と、記録媒体Ｐを巻き取る巻取ロール７４と、記録媒体Ｐが巻き掛けられた複数の巻掛ロール７７と、を有している。巻取ロール７４は、駆動部（図示省略）によって回転駆動される。これにより、巻取ロール７４が記録媒体Ｐを巻き取ると共に、巻出ロール７２が記録媒体Ｐを巻き出す。
【００２４】
複数の巻掛ロール７７は、巻出ロール７２と巻取ロール７４との間で、記録媒体Ｐに巻き掛けられている。これにより、巻出ロール７２から巻取ロール７４までの記録媒体Ｐの搬送経路が定められている。複数の巻掛ロール７７は、巻取ロール７４が記録媒体Ｐを巻き取ることで、巻取ロール７４側へ進行する記録媒体Ｐに従動回転する。
【００２５】
（定着装置１６）
定着装置１６は、記録媒体Ｐを加熱する加熱ロール６２と、記録媒体Ｐを加圧する加圧ロール６４と、を有している。定着装置１６では、記録媒体Ｐを加熱ロール６２と加圧ロール６４との間に挟んで、記録媒体Ｐを加熱しながら加圧し、記録媒体Ｐ上のトナー画像を記録媒体Ｐに定着させる。
【００２６】
（画像形成部１４）
画像形成部１４は、イエロー（Ｙ）、マゼンタ（Ｍ）、シアン（Ｃ）、ブラック（Ｋ）の各色のトナー画像を形成するトナー画像形成部１４Ｙ、１４Ｍ、１４Ｃ、１４Ｋを有している。トナー画像形成部１４Ｙ、１４Ｍ、１４Ｃ、１４Ｋ（以下、１４Ｙ〜１４Ｋという）は、記録媒体Ｐの搬送方向の上流側から下流側へ向けて、この順番で配置されている。
【００２７】
各トナー画像形成部１４Ｙ〜１４Ｋは、画像形成ユニット１８と、転写ユニット５０と、を備えている。なお、各トナー画像形成部１４Ｙ〜１４Ｋは、用いるトナーを除き同様に構成されている。また、図１では、用いるトナーの色に応じて、画像形成ユニット１８、転写ユニット５０、及び各転写ユニット５０Ｙ〜５０Ｋの各部に、Ｙ、Ｍ、Ｃ、Ｋの符号を適宜付している。
【００２８】
（画像形成ユニット１８）
各画像形成ユニット１８Ｙ、１８Ｍ、１８Ｃ、１８Ｋ（以下、１８Ｙ〜１８Ｋという）は、液体現像剤を用いてトナー画像を形成するユニットである。具体的には、図１に示されるように、各画像形成ユニット１８Ｙ〜１８Ｋは、回転する感光体ドラム２２と、感光体ドラム２２を帯電する帯電装置２４と、感光体ドラム２２に露光光を照射して静電潜像を形成する露光装置２６と、感光体ドラム２２上の静電潜像を現像してトナー画像を形成する現像装置４０と、を有している。
【００２９】
なお、各画像形成ユニット１８Ｙ〜１８Ｋは、用いるトナーを除き同様に構成されているので、図１において、画像形成ユニット１８Ｍ、１８Ｃ、１８Ｋの各部の符号を省略している。
【００３０】
現像装置４０は、現像ロール４２（現像体）を有している。現像ロール４２は、感光体ドラム２２に形成された静電潜像を、キャリア液にトナー（粒子）が分散された液体現像剤により現像するロールである。具体的には、現像ロール４２は、液体現像剤に浸漬された供給ロール（図示省略）から液体現像剤が供給されて、当該液体現像剤を外周面に保持する。この現像ロール４２は、感光体ドラム２２に従動して回転する。
【００３１】
現像ロール４２に保持された液体現像剤は、現像ロール４２から感光体ドラム２２へ供給される。当該液体現像剤によって、感光体ドラム２２の静電潜像が現像されてトナー画像が形成される。したがって、イエロー（Ｙ）、マゼンタ（Ｍ）、シアン（Ｃ）、ブラック（Ｋ）の各色のトナー画像は、各色の現像剤（トナー）による現像剤層によって構成されている。
【００３２】
（転写ユニット５０）
各転写ユニット５０Ｙ、５０Ｍ、５０Ｃ、５０Ｋ（以下、５０Ｙ〜５０Ｋという）は、各画像形成ユニット１８Ｙ〜１８Ｋで形成されたトナー画像を記録媒体Ｐに転写するユニットである。具体的には、各転写ユニット５０Ｙ〜５０Ｋは、転写ロール５２（保持体の一例）と、バックアップロール５４（転写部の一例）と、印加部５６と、設定部５８と、を有している。
【００３３】
各転写ロール５２Ｙ、５２Ｍ、５２Ｃ、５２Ｋ（以下、５２Ｙ〜５２Ｋという）は、外周面の一部が各感光体ドラム２２の外周面の一部に接触して回転する構成とされている。この各転写ロール５２Ｙ〜５２Ｋと各感光体ドラム２２との間には、印加部（図示省略）によって転写電圧が印加される。これにより、各転写ロール５２Ｙ〜５２Ｋと各感光体ドラム２２との間に転写電界が形成されて、各感光体ドラム２２に形成されたトナー画像に対して静電力が作用し、当該トナー画像が各転写ロール５２Ｙ〜５２Ｋに転写される。そして、各転写ロール５２Ｙ〜５２Ｋは、転写されたトナー画像を外周面に保持する。
【００３４】
各バックアップロール５４は、搬送部１７で搬送されている記録媒体Ｐに対する各転写ロール５２とは反対側に配置されている。各印加部５６Ｙ、５６Ｍ、５６Ｃ、５６Ｋ（以下、５６Ｙ〜５６Ｋという）は、各設定部５８Ｙ、５８Ｍ、５８Ｃ、５８Ｋ（以下、５８Ｙ〜５８Ｋという）によって設定された転写電圧値の転写電圧を、各転写ロール５２Ｙ〜５２Ｋと各バックアップロール５４との間に印加する。これにより、各転写ロール５２Ｙ〜５２Ｋと各バックアップロール５４との間に転写電界が形成されて、各転写ロール５２Ｙ〜５２Ｋに保持されたトナー画像に対して静電力が作用し、当該トナー画像が転写位置で記録媒体Ｐに転写される。
【００３５】
このように、画像形成装置１０では、各転写ロール５２Ｙ〜５２Ｋに保持されたトナー画像が、各転写ロール５２Ｙ〜５２Ｋと各バックアップロール５４との間での転写電圧の印加により、記録媒体Ｐに順次転写される。具体的には、各転写ロール５２Ｙ〜５２Ｋの保持されたトナー画像が、イエロー（Ｙ）、マゼンタ（Ｍ）、シアン（Ｃ）、ブラック（Ｋ）の順番で、記録媒体Ｐに重ねて転写される。
【００３６】
ここで、各印加部５６Ｙ〜５６Ｋによって、各転写ロール５２Ｙ〜５２Ｋと各バックアップロール５４との間で転写電圧が印加されると、図２に示されるように、記録媒体Ｐの種類によっては、記録媒体Ｐが帯電して記録媒体Ｐの表面電位が上昇する場合がある。なお、記録媒体Ｐとして、樹脂材料で形成されたフィルムを用いた場合に記録媒体Ｐの表面電位が上昇しやすい。
【００３７】
そして、記録媒体Ｐの表面電位が上昇すると、転写効率が低下するため、各印加部５６Ｙ〜５６Ｋが印加する転写電圧の転写電圧値が、一定（同じ）である場合では、図３に示されるように、記録媒体Ｐの搬送方向下流側に配置された転写ユニット５０Ｍ、５０Ｃ、５０Ｋほど、画像濃度が低下し、目標値を下回る場合がある。なお、図３では、説明のために各色Ｙ、Ｍ、Ｃ、Ｋの濃度目標値に対して、相対的な濃度値の大小を示しており、各色Ｙ、Ｍ、Ｃ、Ｋにおける反射濃度値は個別に設定するもので構わない。
【００３８】
そこで、各転写ユニット５０Ｙ〜５０Ｋでは、設定部５８Ｙ〜５８Ｋごとに、個別に転写電圧値を設定する。以下、具体的な構成について説明する。
【００３９】
各転写ユニット５０Ｍ、５０Ｃ、５０Ｋは、図１に示されるように、第一表面電位計１１（測定部の一例）と、第二表面電位計１２（他の測定部の一例）と、を有している。
【００４０】
各第一表面電位計１１Ｍ、１１Ｃ、１１Ｋは、各転写ロール５２Ｍ、５２Ｃ、５２Ｋ上に保持されたトナー画像の表面電位を測定する機能を有している。すなわち、各第一表面電位計１１Ｍ、１１Ｃ、１１Ｋは、記録媒体Ｐに二番目以後に転写されるマゼンタ（Ｍ）、シアン（Ｃ）、ブラック（Ｋ）のトナー画像（一の画像の一例）の表面電位を各転写ロール５２Ｍ、５２Ｃ、５２Ｋ上で測定する機能を有している。
【００４１】
各第二表面電位計１２Ｍ、１２Ｃ、１２Ｋは、記録媒体Ｐに転写されたイエロー（Ｙ）、マゼンタ（Ｍ）、シアン（Ｃ）のトナー画像の表面電位を記録媒体Ｐ上で測定する機能を有している。具体的には、各第二表面電位計１２Ｍ、１２Ｃ、１２Ｋは、マゼンタ（Ｍ）、シアン（Ｃ）、ブラック（Ｋ）のトナー画像（一の画像の一例）の転写までに記録媒体Ｐに転写されたイエロー（Ｙ）、マゼンタ（Ｍ）、シアン（Ｃ）のトナー画像（他の画像の一例）の表面電位を測定する機能を有している。
【００４２】
本実施形態では、記録媒体Ｐの画像領域に転写されるトナー画像とは別に、記録媒体Ｐの画像領域外に、表面電位を測定するための専用のトナー画像（以下、測定用画像という）が転写される。すなわち、各画像形成ユニット１８Ｍ、１８Ｃ、１８Ｋでは、画像形成装置１０の操作者（利用者）の要求によるトナー画像（以下、要求画像という）とは別に、感光体ドラム２２の予め定められた位置に測定用画像を形成する。この要求画像及び測定用画像は、転写ロール５２に転写されて、転写ロール５２に保持された後、転写ロール５２から記録媒体Ｐの画像領域と画像領域外とにそれぞれ転写される。測定用画像は、例えば、記録媒体Ｐの画像形成領域に対する幅方向（搬送方向及び厚み方向に対して交差する方向）の一端部及び他端部の少なくとも一方の画像形成領域外に転写される。各第二表面電位計１２Ｍ、１２Ｃ、１２Ｋは、記録媒体Ｐの画像形成領域外に転写された測定用画像の表面電位を測定する。
【００４３】
そして、設定部５８Ｍは、記録媒体Ｐに転写されたイエロー（Ｙ）のトナー画像及び記録媒体Ｐの電荷量と、第一表面電位計１１Ｍで測定された表面電位Ｖｄと、転写ロール５２Ｍの表面層及びマゼンタ（Ｍ）のトナー画像の合成静電容量Ｃｄと、に基づき、印加部５６Ｍの転写電圧値Ｖｂを設定する。具体的には、設定部５８Ｍは、以下のように、印加部５６Ｍの転写電圧値Ｖｂを設定する。
【００４４】
なお、イエロー（Ｙ）のトナー画像及び記録媒体Ｐの電荷量とは、イエロー（Ｙ）のトナー画像を構成する現像剤層（以下、イエロー現像剤層という）及び記録媒体Ｐの電荷量である。また、イエロー現像剤層及び記録媒体Ｐによって、マゼンタ（Ｍ）のトナー画像が転写される被転写層が構成される。
【００４５】
転写ロール５２Ｍの表面層及びマゼンタ（Ｍ）のトナー画像の合成静電容量とは、転写ロール５２Ｍの表面層及び、マゼンタ（Ｍ）のトナー画像を構成する現像剤層（以下、マゼンタ現像剤層という）の合成静電容量である。
【００４６】
そして、イエロー現像剤層及び記録媒体Ｐの電荷量Ｑｍは、第二表面電位計１２Ｍで測定された表面電位Ｖｍと、イエロー現像剤層及び記録媒体Ｐの合成静電容量Ｃｍと、に基づき求められる（図４参照）。具体的には、電荷量Ｑｍは、式（１）によって求められる。
【００４７】
Ｑｍ＝Ｃｍ×Ｖｍ・・・式（１）
【００４８】
合成静電容量Ｃｍは、記録媒体Ｐの静電容量Ｃｆとイエロー現像剤層の静電容量Ｃｔ１とに基づき求められる（図４参照）。具体的には、合成静電容量Ｃｍは、式（２）によって求められる。
【００４９】
１／Ｃｍ＝１／Ｃｆ＋１／Ｃｔ１・・・式（２）
【００５０】
イエロー現像剤層の静電容量Ｃｔ１は、記憶部（図示省略）に記憶されており、既知となっている。当該記憶部から設定部５８Ｍが、イエロー現像剤層の静電容量Ｃｔ１の情報を取得する。
【００５１】
記録媒体Ｐの静電容量Ｃｆは、記録媒体Ｐの種類と対応させると共に予めテーブル化して記憶部（図示省略）に記憶されている。記録媒体Ｐの種類の入力（手入力、記録媒体Ｐ上に付された識別符号の読取り等）によって、記録媒体Ｐの種類に対応する静電容量Ｃｆがテーブルから読み出されて、設定部５８Ｍが静電容量Ｃｆの情報を取得する。
【００５２】
なお、記録媒体Ｐの搬送経路の表裏面に金属板を配置して、記録媒体Ｐを挟んで予め定められた電圧を印加し、流れた電荷量を検出することで静電容量Ｃｆを計測して、当該静電容量Ｃｆを設定部５８Ｍが、取得するようにしてもよい。この場合は、既知の面積の電極対で記録媒体Ｐを挟み、検出された電荷量を印加電圧で除することで、記録媒体Ｐの静電容量Ｃｆが求められる。
【００５３】
さらに、第一表面電位計１１Ｍで測定された表面電位Ｖｄと、転写ロール５２Ｍの表面層及びマゼンタ現像剤層の合成静電容量Ｃｄと、に基づき、次に記録媒体Ｐへ転写されるマゼンタ現像剤層（マゼンタ（Ｍ）のトナー画像）の電荷量Ｑｄを求める（図４参照）。具体的には、電荷量Ｑｄは、式（３）によって求められる。
【００５４】
Ｑｄ＝Ｃｄ×Ｖｄ・・・式（３）
【００５５】
合成静電容量Ｃｄは、マゼンタ現像剤層の静電容量Ｃｔと転写ロール５２Ｍの表面層の静電容量Ｃｃとに基づき求められる（図４参照）。具体的には、合成静電容量Ｃｄは、式（４）によって求められる。
【００５６】
１／Ｃｄ＝１／Ｃｔ＋１／Ｃｃ・・・式（４）
【００５７】
なお、マゼンタ現像剤層の静電容量Ｃｔと、転写ロール５２Ｍの表面層の静電容量Ｃｃとは記憶部（図示省略）に記憶されており、既知となっている。当該記憶部から設定部５８Ｍが、マゼンタ現像剤層の静電容量Ｃｔと、転写ロール５２Ｍの表面層の静電容量Ｃｃとの情報を取得する。
【００５８】
そして、イエロー現像剤層と記録媒体Ｐとで構成される被転写層の表面に誘起される誘起電荷量Ｑｐが、被転写層の電荷量Ｑｍと、被転写層に転写されるマゼンタ現像剤層の電荷量Ｑｄの和以上となるように、転写ロール５２Ｍとバックアップロール５４との間に印加する転写電圧値Ｖｂを設定する。
【００５９】
具体的には、誘起電荷量Ｑｐは、式（５）によって求められる。具体的には、転写電圧値Ｖｂは、式（６）によって求められる。なお、式（６）におけるＶｂは、下限値である。また、下記のＶｐは、分圧による記録媒体Ｐにおける電位であり、転写電圧値Ｖｂの印加により、転写部における被転写層表面に誘起される電位である。
【００６０】
Ｑｐ＝Ｃｍ×Ｖｐ＝Ｑｍ＋Ｑｄ・・・式（５）
【００６１】
Ｖｂ＝Ｖｐ／（Ｃｄ／（Ｃｍ＋Ｃｄ））
＝（Ｑｍ＋Ｑｄ）×（Ｃｍ＋Ｃｄ）／（Ｃｍ×Ｃｄ）・・・式（６）
【００６２】
そして、Ｖｂ≧（Ｑｍ＋Ｑｄ）×（Ｃｍ＋Ｃｄ）／（Ｃｍ×Ｃｄ）となるように、転写電圧値Ｖｂを設定する。
【００６３】
設定部５８Ｃにおいても、設定部５８Ｍの場合と同様に、記録媒体Ｐに転写されたイエロー（Ｙ）及びマゼンタ（Ｍ）のトナー画像を構成するイエロー現像剤層及びマゼンタ現像剤層及び記録媒体Ｐの電荷量Ｑｍと、次に記録媒体Ｐへ転写されるシアン（Ｃ）のトナー画像（シアン現像剤層）の電荷量Ｑｄと、に基づき印加部５６Ｃの転写電圧値を設定する。この電荷量Ｑｄは、第一表面電位計１１Ｃで測定された表面電位Ｖｄと、転写ロール５２Ｃの表面層及びシアン（Ｃ）のトナー画像（シアン現像剤層）の合成静電容量Ｃｄと、に基づき求められる。
【００６４】
なお、シアン（Ｃ）のトナー画像が転写される被転写層は、イエロー現像剤層及びマゼンタ現像剤層と記録媒体Ｐとで構成されるため、設定部５８Ｃでは、イエロー現像剤層及びマゼンタ現像剤層と記録媒体Ｐとの電荷量Ｑｍを求める。
【００６５】
イエロー現像剤層及びマゼンタ現像剤層と記録媒体Ｐとの電荷量Ｑｍは、第二表面電位計１２Ｍで測定された表面電位Ｖｍと、イエロー現像剤層及びマゼンタ現像剤層と記録媒体Ｐとの合成静電容量Ｃｍと、に基づき求められる。具体的には、電荷量Ｑｍは、式（１）によって求められる。
【００６６】
Ｑｍ＝Ｃｍ×Ｖｍ・・・式（１）
【００６７】
合成静電容量Ｃｍは、記録媒体Ｐの静電容量Ｃｆとイエロー現像剤層の静電容量Ｃｔ１とマゼンタ現像剤層の静電容量Ｃｔ２とに基づき求められる。具体的には、合成静電容量Ｃｍは、式（２−１）によって求められる。
【００６８】
１／Ｃｍ＝１／Ｃｆ＋１／Ｃｔ１＋１／Ｃｔ２・・・式（２−１）
【００６９】
マゼンタ現像剤層の静電容量Ｃｔ２は、イエロー現像剤層の静電容量Ｃｔ１と同様に、記憶部（図示省略）に記憶されており、既知となっている。当該記憶部から設定部５８Ｃが、イエロー現像剤層の静電容量Ｃｔ１及びマゼンタ現像剤層の静電容量Ｃｔ２の情報を取得する。
【００７０】
そして、イエロー現像剤層及びマゼンタ現像剤層と記録媒体Ｐとで構成される被転写層の表面に誘起される誘起電荷量Ｑｐが、被転写層の電荷量Ｑｍと、被転写層に転写されるシアン現像剤層の電荷量Ｑｄの和以上となるように、転写電圧値Ｖｂを設定する。
【００７１】
さらに、設定部５８Ｋにおいても、設定部５８Ｃの場合と同様に、記録媒体Ｐに転写されたイエロー（Ｙ）、マゼンタ（Ｍ）及びシアン（Ｃ）のトナー画像（イエロー現像剤層、マゼンタ現像剤層及びシアン現像剤層）及び記録媒体Ｐの電荷量Ｑｍと、次に記録媒体Ｐへ転写されるブラック（Ｋ）のトナー画像（ブラック現像剤層）の電荷量Ｑｄと、に基づき印加部５６Ｋの転写電圧値を設定する。この電荷量Ｑｄは、第一表面電位計１１Ｋで測定された表面電位Ｖｄと、転写ロール５２Ｋの表面層及びブラック（Ｋ）のトナー画像（ブラック現像剤層）の合成静電容量Ｃｄと、に基づき求められる。
【００７２】
なお、ブラック（Ｋ）のトナー画像が転写される被転写層は、イエロー現像剤層、マゼンタ現像剤層及びシアン現像剤層と記録媒体Ｐとで構成されるため、設定部５８Ｋでは、イエロー現像剤層、マゼンタ現像剤層及びシアン現像剤層と記録媒体Ｐとの電荷量Ｑｍを求める。
【００７３】
イエロー現像剤層、マゼンタ現像剤層及びシアン現像剤層と記録媒体Ｐとの電荷量Ｑｍは、第二表面電位計１２Ｋで測定された表面電位Ｖｍと、イエロー現像剤層、マゼンタ現像剤層及びシアン現像剤層と記録媒体Ｐとの合成静電容量Ｃｍと、に基づき求められる。具体的には、電荷量Ｑｍは、式（１）によって求められる。
【００７４】
Ｑｍ＝Ｃｍ×Ｖｍ・・・式（１）
【００７５】
合成静電容量Ｃｍは、記録媒体Ｐの静電容量Ｃｆとイエロー現像剤層の静電容量Ｃｔ１とマゼンタ現像剤層の静電容量Ｃｔ２とシアン現像剤層の静電容量Ｃｔ３とに基づき求められる。具体的には、合成静電容量Ｃｍは、式（２−２）によって求められる。
【００７６】
１／Ｃｍ＝１／Ｃｆ＋１／Ｃｔ１＋１／Ｃｔ２＋１／Ｃｔ３・・・式（２−２）
【００７７】
シアン現像剤層の静電容量Ｃｔ３は、イエロー現像剤層の静電容量Ｃｔ１及びマゼンタ現像剤層の静電容量Ｃｔ２と同様に、記憶部（図示省略）に記憶されており、既知となっている。当該記憶部から設定部５８Ｋが、イエロー現像剤層の静電容量Ｃｔ１、マゼンタ現像剤層の静電容量Ｃｔ２及びシアン現像剤層の静電容量Ｃｔ３の情報を取得する。
【００７８】
そして、イエロー現像剤層、マゼンタ現像剤層及びシアン現像剤層と記録媒体Ｐとで構成される被転写層の表面に誘起される誘起電荷量Ｑｐが、被転写層の電荷量Ｑｍと、被転写層に転写されるブラック現像剤層の電荷量Ｑｄの和以上となるように、転写電圧値Ｖｂを設定する。
【００７９】
（本実施形態に係る作用）
本実施形態に係る画像形成装置１０によれば、前述のように、設定部５８Ｍは、記録媒体Ｐに転写されたイエロー（Ｙ）のトナー画像及び記録媒体Ｐの電荷量と、第一表面電位計１１Ｍで測定された表面電位と、転写ロール５２Ｍの表面層及びマゼンタ（Ｍ）のトナー画像の合成静電容量と、に基づき、印加部５６Ｍの転写電圧値を設定する。
【００８０】
具体的には、イエロー現像剤層と記録媒体Ｐとで構成される被転写層の表面に誘起される誘起電荷量Ｑｐが、被転写層の電荷量Ｑｍと、被転写層に転写されるマゼンタ現像剤層の電荷量Ｑｄの和以上となるように、転写電圧値Ｖｂを設定する。
【００８１】
設定部５８Ｃにおいても、同様に、イエロー現像剤層及びマゼンタ現像剤層と記録媒体Ｐとで構成される被転写層の表面に誘起される誘起電荷量Ｑｐが、被転写層の電荷量Ｑｍと、被転写層に転写されるシアン現像剤層の電荷量Ｑｄの和以上となるように、転写電圧値Ｖｂを設定する。
【００８２】
さらに、設定部５８Ｋにおいても、同様に、イエロー現像剤層、マゼンタ現像剤層及びシアン現像剤層と記録媒体Ｐとで構成される被転写層の表面に誘起される誘起電荷量Ｑｐが、被転写層の電荷量Ｑｍと、被転写層に転写されるブラック現像剤層の電荷量Ｑｄの和以上となるように、転写電圧値Ｖｂを設定する。
【００８３】
以上のように、転写ユニット５０Ｙに対する下流側の各転写ユニット５０Ｍ、５０Ｃ、５０Ｋにおいて、各設定部５８Ｍ、５８Ｃ、５８Ｋが被転写層の電荷量Ｑｍを考慮して転写電圧値Ｖｂを設定するので、転写電圧の印加により帯電した記録媒体Ｐの表面電位分を上乗せした転写電圧が印加される（図５参照）。なお、図５は、各設定部５８Ｙ〜５８Ｋに設定される、記録媒体Ｐの種類ごとの転写電圧値Ｖｂが示されている。図５では、矢印にて、上乗せられた転写電圧値が示されている。
【００８４】
これにより、図６に示されるように、転写ユニット５０Ｙに対する記録媒体Ｐの搬送方向下流側に配置された転写ユニット５０Ｍ、５０Ｃ、５０Ｋにおいても、画像濃度が低下することなく、画像濃度が目標値よりを上回る。この結果、記録媒体Ｐに転写されるトナー画像の転写不良が抑制される。
【００８５】
このように、転写ユニット５０Ｍ、５０Ｃ、５０Ｋにおいて、各設定部５８Ｍ、５８Ｃ、５８Ｋが転写電圧値Ｖｂを設定するので、転写ユニット５０Ｍ、５０Ｃ、５０Ｋの１つのみにおいて設定部５８が転写電圧値を設定する場合に比べ、各転写ユニット５０における転写不良が抑制される。
【００８６】
また、画像形成装置１０では、各設定部５８Ｍ、５８Ｃ、５８Ｋが、記録媒体Ｐに転写されるトナー画像の現像剤層の電荷量Ｑｄを考慮して転写電圧値Ｖｂを設定するので、被転写層の電荷量Ｑｍのみに基づき転写電圧値Ｖｂを設定する場合に比べ、最適な転写電圧値Ｖｂが設定される。この結果、記録媒体Ｐに転写されるトナー画像の転写不良が抑制される。
【００８７】
さらに、画像形成装置１０では、前述のように、第二表面電位計１２Ｍ、１２Ｃ、１２Ｋで測定された表面電位Ｖｍを用いて、被転写層の電荷量Ｑｍが求められる。このように、実測による表面電位Ｖｍに基づいて被転写層の電荷量Ｑｍが求められるので、予め記憶された記憶情報のみを用いて被転写層の電荷量Ｑｍが求める場合に比べ、最適な転写電圧値Ｖｂが設定される。この結果、記録媒体Ｐに転写されるトナー画像の転写不良が抑制される。
【００８８】
また、画像形成装置１０では、設定部５８Ｃにおいて、シアン（Ｃ）のトナー画像が転写されるまでに、記録媒体Ｐに転写されたイエロー（Ｙ）及びマゼンタ（Ｍ）のトナー画像（イエロー現像剤層及びマゼンタ現像剤層）の電荷量に基づき、転写電圧値Ｖｂを設定する。このように、記録媒体Ｐに転写された複数のトナー画像の電荷量に基づき転写電圧値Ｖｂを設定するので、シアン（Ｃ）のトナー画像の転写直前に、記録媒体Ｐに転写されたマゼンタ（Ｍ）のトナー画像（マゼンタ現像剤層）のみの電荷量に基づき、転写電圧値Ｖｂを設定する場合に比べ、転写不良が抑制される。
【００８９】
また、設定部５８Ｋにおいて、ブラック（Ｋ）のトナー画像が転写されるまでに、記録媒体Ｐに転写されたイエロー（Ｙ）、マゼンタ（Ｍ）及びシアン（Ｃ）のトナー画像（イエロー現像剤層、マゼンタ現像剤層及びシアン現像剤層）の電荷量に基づき、転写電圧値Ｖｂを設定する。このように、記録媒体Ｐに転写された複数のトナー画像の電荷量に基づき転写電圧値を設定するので、ブラック（Ｋ）のトナー画像の転写直前に、記録媒体Ｐに転写されたシアン（Ｃ）のトナー画像（シアン現像剤層）のみの電荷量に基づき、転写電圧値Ｖｂを設定する場合に比べ、転写不良が抑制される。
【００９０】
また、画像形成装置１０では、第二表面電位計１２Ｍ、１２Ｃ、１２Ｋは、記録媒体Ｐの画像領域外に転写された測定用画像の表面電位Ｖｍを測定する。このため、記録媒体Ｐの画像領域に転写される要求画像とは関係なく、第二表面電位計１２Ｍ、１２Ｃ、１２Ｋの測定対象となる測定用画像が形成される。したがって、記録媒体Ｐの画像領域に転写された要求画像の表面電位を測定する場合に比べ、表面電位の測定の対象となる画像（測定用画像）を、例えば、大きさ、位置及び濃度などにおいて、測定に適合した画像として記録媒体Ｐに形成される。この結果、最適な転写電圧値Ｖｂが設定され、記録媒体Ｐに転写されるトナー画像の転写不良が抑制される。
【００９１】
（変形例）
本実施形態では、各設定部５８Ｍ、５８Ｃ、５８Ｋが、第二表面電位計１２Ｍ、１２Ｃ、１２Ｋで測定された表面電位Ｖｍを用いて、被転写層の電荷量Ｑｍを求めていたが、測定された表面電位Ｖｍを用いずに被転写層の電荷量Ｑｍを求める構成であってもよい。具体的には、例えば、以下のように構成される。すなわち、被転写層の電荷量Ｑｍを記録媒体Ｐの種類と対応させると共に予めテーブル化して記憶部（図示省略）に記憶する。そして、記録媒体Ｐの種類の入力（手入力、記録媒体Ｐ上に付された識別符号の読取り等）によって、記録媒体Ｐの種類に対応する電荷量Ｑｍをテーブルから読み出して、各設定部５８Ｍ、５８Ｃ、５８Ｋが、設定部５８Ｍが電荷量Ｑｍの情報を取得する。
【００９２】
また、本実施形態では、各第二表面電位計１２Ｍ、１２Ｃ、１２Ｋは、記録媒体Ｐの画像領域外に転写された測定用画像の表面電位Ｖｍを測定していたが、これに限られない。例えば、各第二表面電位計１２Ｍ、１２Ｃ、１２Ｋは、記録媒体Ｐの画像領域に転写された要求画像の表面電位を測定する構成であってもよい。この場合では、要求画像の画像データ等を参照して、記録媒体Ｐ上の測定位置を特定して、第二表面電位計１２Ｍ、１２Ｃ、１２Ｋが表面電位を測定する。
【００９３】
また、本実施形態では、液体現像剤を用いたがこれに限られない。画像形成装置としては、例えば、粉状の現像剤を用いた乾式の画像形成装置であってもよい。
【００９４】
また、本実施形態では、感光体ドラム２２から転写ロール５２に転写されたトナー画像を記録媒体Ｐに転写していたが、これに限られない。感光体ドラム２２に形成されたトナー画像を直接、記録媒体Ｐに転写する構成であってもよい。この場合では、感光体ドラム２２が、画像を保持する保持体の一例として機能する。
【００９５】
本実施形態では、画像形成装置１０は、４色のトナー画像形成部１４Ｙ〜１４Ｋを有していたが、これに限られない。画像形成装置としては、２色、３色又は、５色以上のトナー画像形成部を有する構成であってもよい。この場合、前述の合成静電容量Ｃｍは、記録媒体Ｐの静電容量Ｃｆと、これまでに記録媒体Ｐに転写されたｎ色分の画像（現像剤層）の静電容量Ｃｔ１、…Ｃｔｎとに基づき求められる。具体的には、合成静電容量Ｃｍは、式（２−３）によって求められる。
【００９６】
１／Ｃｍ＝１／Ｃｆ＋１／Ｃｔ１＋…＋１／Ｃｔｎ・・・式（２−３）
【００９７】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【符号の説明】
【００９８】
１０   画像形成装置
１１   第一表面電位計（測定部の一例）
１２   第二表面電位計（他の測定部の一例）
５２   転写ロール（保持体の一例）
５４   バックアップロール（転写部の一例）
５８   設定部
【図１】
2019020479.tif 000003
【図２】
2019020479.tif 000004
【図３】
2019020479.tif 000005
【図４】
2019020479.tif 000006
【図５】
2019020479.tif 000007
【図６】
2019020479.tif 000008